(57)【要約】【課題】  高さの変化と共に座面の深さ（前後長）を自由に変え、多機能で使用勝手に優れる椅子を提供する。【解決手段】  左右一対のＸ字脚、同台座及び背板並びに座板からなり、該Ｘ字脚に於ける支脚の１つは、その前部上端を座板の前方裏面側へ、そして該支脚の後部下端は背板の左右支柱の下端側へ夫々れ揺動可能に取付け、一方上記Ｘ字脚に於ける他の支脚の前部下端は台座の前方上面側へ、そして後部上端は背板の左右支柱の中程高さから下方側の一定の長さ範囲へ適宜な係合手段を介して脱着自在に取付けしめ、背板の左右支柱の下端を台座の長さ方向に於ける後半部箇所で適宜な位置変え手段を使用して変更可能に構成した。【選択図】      図２
2007202768.tif 000002
【特許請求の範囲】
【請求項１】
左右一対のＸ字脚、同台座及び背板並びに座板からなり、上記一対のＸ字脚は交軸を支点にして回動自在になされると共に、座板の巾間隔で同台座上に立設位置させ、該Ｘ字脚に於ける支脚の１つは、その前部上端を座板の前方裏面側へ、そして該支脚の後部下端は背板の左右支柱の下端側へ夫々れ揺動可能に取付け、一方上記Ｘ字脚に於ける他の支脚の前部下端は台座の前方上面側へ、そして後部上端は背板の左右支柱の中程高さから下方側の一定の長さ範囲へ適宜な係合手段を介して脱着自在に取付けしめ、このさい座板の後半部裏面側が後部支脚の上端間を架橋した横棒上で水平に載置されるものとなし、また背板の左右支柱の下端を台座の長さ方向に於ける後半部箇所で適宜な位置変え手段を使用して変更可能に構成したことを特徴とした座高調節自在椅子。
【請求項２】
上記したＸ字脚の支脚の後部上端の係合手段は背板の左右支柱の対向する内面側に対し一定長さ範囲の摺動溝を穿設し、これに対しＸ字脚の支脚の後部上端には転子を取付け、該転子を上記摺動溝に係合させることにより行われることを特徴とした請求項１記載の座高調節自在椅子。
【請求項３】
上記した背板の左右支柱と台座との位置変え手段は、背板の各左右支柱の下端部に突起金具を取付け、これに対し台座の適当間隔には上記突起金具と係合する凹穴を設けて行われることを特徴とした請求項１又は２記載の座高調節自在椅子。
【請求項４】
上記した一対の台座の長さ寸法は４５０ｍｍ〜６００ｍｍで巾間隔は４００ｍｍ〜５００ｍｍ、座板の長さ寸法は４５０ｍｍ〜６００ｍｍ、背板支柱の高さ寸法は８５０ｍｍ〜９５０ｍｍで、且つ座板は前半部が巾広で後半部は巾狭めになしてあることを特徴とした請求項１，２又は３記載の座高調節自在椅子。
【請求項５】
上記した背板の左右支柱間は、その高さ方向の１／３〜２／３の範囲を空間部に形成させ、該空間部内で上記座板後方部の出入動作を可能ならしめることを特徴とした請求項１，２，３又は４記載の座高調節自在椅子。
【発明の詳細な説明】
【技術分野】
【０００１】
本発明は、一対のＸ字脚を使用し座面の高さが自由に変えられ、且つ折り畳みも可能とする自在椅子に関する。
【背景技術】
【０００２】
Ｘ字脚を使用して、その高さを調節する椅子は多数示されている（特許文献１〜７参照）。
しかし、いずれも、高さ調節は可能であるが、高さが変わっても座面の深さ（前後長）が変わらないので、高低の使い分けの目的を充分に満足できない。
【特許文献１】特開平０９−１５４６６１号
【特許文献２】実公平０４−０３９７２５号
【特許文献３】実公昭１３−０１００６３号
【特許文献４】特開平０９−０３７８８３号
【特許文献５】実公昭０２−００７０７２号
【特許文献６】実全昭５６−０９７０４６号
【特許文献７】実全昭５６−１５５６４４号
【発明の開示】
【発明が解決しようとする課題】
【０００３】
そこで、本発明は高さの変化と共に座面の深さ（前後長）を自由に変え、即ち高さの高い座面では浅く掛けて幼児のテーブル椅子や足場作業として使い、低い座面では脚を寝かせ、深く掛けてくつろぐことができるなど、多機能で使用勝手に優れる椅子を提供することを目的とする。
【課題を解決するための手段】
【０００４】
本発明に係る座高調節自在椅子は、左右一対のＸ字脚、同台座及び背板並びに座板からなり、上記一対のＸ字脚は交軸を支点にして回動自在になされると共に、座板の巾間隔で同台座上に立設位置させ、該Ｘ字脚に於ける支脚の１つは、その前部上端を座板の前方裏面側へ、そして該支脚の後部下端は背板の左右支柱の下端側へ夫々れ揺動可能に取付け、一方上記Ｘ字脚に於ける他の支脚の前部下端は台座の前方上面側へ、そして後部上端は背板の左右支柱の中程高さから下方側の一定の長さ範囲へ適宜な係合手段を介して脱着自在に取付けしめ、このさい座板の後半部裏面側が後部支脚の上端間を架橋した横棒上で水平に載置されるものとなし、また背板の左右支柱の下端を台座の長さ方向に於ける後半部箇所で適宜な位置変え手段を使用して変更可能に構成したことを特徴とする。
【０００５】
上記したＸ字脚の支脚の後部上端の係合手段は背板の左右支柱の対向する内面側に対し一定長さ範囲の摺動溝を穿設し、これに対しＸ字脚の支脚の後部上端には転子を取付け、該転子を上記摺動溝に係合させることにより行われるものとなしたり、上記した背板の左右支柱と台座との位置変え手段は、背板の各左右支柱の下端部に突起金具を取付け、これに対し台座の適当間隔には上記突起金具と係合する凹穴を設けて行われるものとなしたりする。
【０００６】
上記した一対の台座の長さ寸法は４５０ｍｍ〜６００ｍｍで巾間隔を４００ｍｍ〜５００ｍｍ、座板の長さ寸法は４５０ｍｍ〜６００ｍｍ、背板支柱の高さ寸法は８５０ｍｍ〜９５０ｍｍで、且つ座板は前半部が巾広で後半部は巾狭めになしたり、上記した背板の左右支柱間は、その高さ方向の１／３〜２／３の範囲を空間部に形成させ、該空間部内で上記座板後方部の出入動作を可能ならしめたりする。
【発明の効果】
【０００７】
本発明品は以上の如き構成であり、背板の左右支柱の下端が台座の長さ方向に於ける後半箇所で、その位置変えと連動して左右一対のＸ字脚が交軸を支点にして回動され、そのさい座板の高さが高から低、或いは低から高となるように変えられるのである。具体的には背板支柱が台座上を前方へ向けて移動されると、本発明ではＸ字脚が座板を押し上げて座板の高さが高くなるのであり、これに対し背板支柱が台座上を後方へ向けて移動されると、上記とは逆に座板が低くなるのである。このさい、本発明では座板の座面深さ（背板と座板の前後長）が前者では浅く、後者では深くなるように自動的に変化するのである。したがって、高い座面では足場作業として、或いは幼児などの食事椅子として、そして低い座面では脚を前方へ投げ出した状態に深く腰を掛けてくつろぐことができるものとなる。而して、上記に於ける座板の高さ位置変動が全て台座の上部空間で行われることから（図３参照）、座板を高くしても安定性に優れ、倒れたりすることがなくて極めて安全なのである。
【０００８】
本発明で背板の左右支柱とＸ字脚の後部支脚上端の係合手段を、請求項２に記載した如く構成にしたものでは、背板の位置変えに伴うＸ字脚における左右支脚の高さ位置の変更が、転子の摺動移動と関連して円滑に行うことができるものとなるのである。
【０００９】
他方、本発明では背板の左右支柱と台座との位置変え手段は種々なものを採用することが出来るが、請求項３に記載の如く構成したものでは、製造が安価で且つ操作が簡便に行えるものとなる。
【００１０】
なお、本発明に於ける一般的な使用では台座の長さ寸法を４５０ｍｍ〜６００ｍｍ、座板の長さ寸法を４５０ｍｍ〜６００ｍｍ、背板支柱の高さ寸法を８５０ｍｍ〜９５０ｍｍで、且つ座板は前半部が巾広で後半部は巾狭めになされる。また、上記した背板の左右支柱間は、その高さ方向に於ける凡そ１／３〜２／３の範囲を空間部に形成させるのであり、これにより該空間部内を上記した座板の後方部が何ら支障なく水平な出入動作を可能ならしめるのであり、且つ高低差に関連して座面の好適な深さが円滑に得られるものとなされる。
【発明を実施するための最良の形態】
【００１１】
以下、図面に示す実施の態様について説明する。
図１は本発明に係る椅子の斜視図、図２は座板を上げた状態の斜視図、図３Ａ、Ｂ、Ｃは座面の高さ位置が変わる状態説明図、図４はその使用状態図、図５は折り畳んだ状態説明図である。
【００１２】
本発明に係る椅子１は左右一対のＸ字脚２、左右一対の台座３及び背板４並びに座板５などの部材からなり、背板４は上記左右一対の台座間隔と同巾間隔に左右一対の支柱４ａ、４ａを有する。ここで上記各部材はその一般的使用で、台座３の長さ寸法Ｌ１は４５０ｍｍ〜６００ｍｍでその巾間隔Ｓは４００ｍｍ〜５００ｍｍ、座板５の長さ寸法Ｌ２は４５０ｍｍ〜６００ｍｍ、背板支柱４ａの高さ寸法ｈ１は８５０ｍｍ〜９５０ｍｍとなされる。
【００１３】
一対のＸ字脚２は夫々れ二つの支脚２ａ、２ｂからなり、各支脚２ａ、２ｂは交軸２ｃの支点箇所で回動自在である。而して、これら支脚は夫々れ一対の台座３ａ、３ａの巾間隔で立設されて座板５を支持するようになすのである。
【００１４】
上記一対のＸ字脚２に於ける後部上端の支脚２ａ、２ａ間は図２に見られる通り横棒２ｄで架橋してあり、且つ前部下端は夫々れ台座３ａ、３ａの前端箇所で連結金具６を使用して揺動自在に取付けてある。一方、Ｘ字脚２の他の支脚２ｂの前部上端は座板５の前部裏面側に対し夫々れ連結金具７を介して揺動自在に取付けてあり、他方該支脚２ｂの後部下端は背板の対向する支柱４ａ、４ａの下端内面側へ連結金具８を使用して揺動自在に取付けてある。
【００１５】
本発明で使用する台座５は、その凡そ前半部分が上記の平行配設した一対の台座３ａ、３ａ間と凡そ同一或いは少し大なる巾寸法となされ、且つその後半部分は上記背板４の対向する支柱４ａ、４ａの空間ｍ内へ挿入可能となされる巾狭めの寸法に形成し、且つその全体長Ｌ２は台座３の長さ寸法Ｌ１と同一になされる。而して、該座板５は上記Ｘ字脚の後部支脚２ａ、２ａ間を架橋した横棒２ｄ上に載置させ、次述する如く背板４の左右支柱４ａ、４ａが上記台座３上を変位移動するさい、上記背板４の空間ｍ内を水平な座面の形成される状態で往復動されるものとなる。
【００１６】
ここで、背板４は背もたれ部４ｂを除き左右支柱４ａ、４ａの対向する内面側に下方へ向かって空間ｍが形成されるものとなしてあり、且つその高さ方向の凡そ１／３〜２／３付近から下方側の一定長さ範囲に対し、摺動溝９、９が穿設してある。ところで、上記したＸ字脚２の後部支脚２ａ、２ａの上端部には上記摺動溝９、９内へ嵌入されて滑動する転子１０、１０を取付けたものとなされており、これら転子１０、１０が夫々れ案内溝１１、１１から摺動溝９、９内へ導かれて各溝内を係合状態で滑動するのである。
【００１７】
而して、本発明では背板４の左右支柱４ａ、４ａを台座３の凡そ後半部でその取付け位置が変えられるようになすのであり、このための位置換え手段としては種々なものが採用可能であるが、本発明の図示例では製造の簡単なものとして、各支柱４ａ、４ａの下端に突起金具１２、１２を取付け、これに対し台座３ａ、３ａの夫々れ上面側の適当間隔に上記突起金具１２、１２と係合して位置固定を可能にする凹穴１３の多数が穿設されたものとなしてある。
【００１８】
図３のＡ、Ｂ、Ｃはその取付け位置を変更させたさいの側面図であり、Ａの如く台座３の前方へ移動させる場合は上記転子１０は摺動溝９内を上方に向けて滑動し、座板３を持上げるのであり、Ｂ，Ｃの如く後退させる場合は逆になる。即ち、係る昇下向に伴ってＸ字脚２の交差角θが適宜変えられ、その上面で保持してなる座板５の高さが同時に変えられるものとなるのである。
【００１９】
上記は本発明の目的とする機能を発揮させるための必須な構成部品の説明であるが、構造上の付属部品や安全上の補強部材として、適宜各所にこれら部材を取付けるようになすのであり、各図で１４〜１８などはこれがための各種部材である。なお、上記で背板４の左右支柱４ａ、４ａの高さ方向に於ける一定長さ範囲に穿設した摺動溝９とＸ字脚２の後部上端支脚に取付けた転子１０との係合手段に代わり、ラックと歯車による係合手段、即ち背板の支柱側にラックを設け、これに対しＸ字脚の支脚に該ラックと係合する歯車を取付けることで実施するようになしても良い。また、背板の支柱と台座との位置変え手段としては、台座３ａ、３ａの凡そ後半部分に於ける上面の一定長さ範囲に摺動溝を設け、これに対し各支柱４ａ、４ａ下端には転子を設けて両者の係合により行われるようになしても良い。このさいの位置固定には楔止めやフック掛けなどの外にハンドルネジの回動により行うようになしても良く、その他の各種手段も採用する。
【００２０】
図４Ａ、Ｂは使用状態の説明図であって、Ａは座面を高くして幼児のテーブル椅子としての使用を、Ｂは座面を低くして大人がくつろいでいる使用状態図である。本図から明らかな通り、本発明では座板の高低差に関係なく、座板は台座上の鉛直な空間をはみ出さない状態に位置することから、座面上に於ける荷重の安定化が図れると同時に機能性の向上に寄与するものとなる。
【００２１】
なお、上記実施例に於ける位置変え手段で、即ち背板の左右支柱と台座との係合関係を解除すると、本発明では図５に示す如く折り畳むことができるのであり、従って移動や収納の際の取扱い時にも大変便利なものとなる。
【図面の簡単な説明】
【００２２】
【図１】本発明に係る椅子の斜視図である。
【図２】座板を上げた状態の斜視図である。
【図３】Ａ、Ｂ、Ｃは座面の高さ位置が変わる状態説明図である。
【図４】上記の使用状態図である。
【図５】折り畳んだ状態説明図である。
【符号の説明】
【００２３】
１    椅子
２    Ｘ字脚
２ａ、２ｂ  支脚
３    座板
４    背板
４ａ  支柱
５    台座
６    連結金具
７    連結金具
８    連結金具
９    摺動溝
１０  転子
１２  突起金具
１３  凹穴
【図１】
2007202768.tif 000003
【図２】
2007202768.tif 000004
【図３】
2007202768.tif 000005
【図４】
2007202768.tif 000006
【図５】
2007202768.tif 000007